(57)【要約】【課題】水溶性高分子であるポリビニルアルコールをゲル化剤として用いた釣り餌において、常温にて短期間でゲル化可能とすることにより、釣り餌の製造を容易なものとする。また、製造した釣り餌の常温での長期間保存を可能とする。【解決手段】ポリビニルアルコール０．５ｗｔ％〜２０．０ｗｔ％、水３０．０ｗｔ％〜９８．５ｗｔ％、魚の好む摂餌材料１．０ｗｔ％〜５０．０ｗｔ％を加熱溶解しながら混合する。そして、この混合物を特定の釣り餌形状に成形し、この成形物の表面に塩を付着させることにより、成形物の表面、又は表面と内部全体をゲル化させて形成するものである。【特許請求の範囲】
【請求項１】
ポリビニルアルコール０．５ｗｔ％〜２０．０ｗｔ％、水３０．０ｗｔ％〜９８．５ｗｔ％、魚の好む摂餌材料１．０ｗｔ％〜５０．０ｗｔ％を加熱溶解しながら混合し、この混合物を特定の釣り餌形状に成形するとともに、この成形物の表面に塩を付着させることにより、成形物の表面、又は表面と内部全体をゲル化させ形成することを特徴とする釣り餌の製造方法。
【請求項２】
ポリビニルアルコール０．５ｗｔ％〜２０．０ｗｔ％、水２０．０ｗｔ％〜９８．４ｗｔ％、魚の好む摂餌材料１．０ｗｔ％〜５０．０ｗｔ％、増粘剤０．１ｗｔ％〜１０．０ｗｔ％を加熱溶解しながら混合し、この混合物を特定の釣り餌形状に成形するとともに、この成形物の表面に塩を付着させることにより、成形物の表面、又は表面と内部全体をゲル化させ形成することを特徴とする釣り餌の製造方法。
【請求項３】
ポリビニルアルコール０．５ｗｔ％〜２０．０ｗｔ％、水３０．０ｗｔ％〜９８．５ｗｔ％、魚の好む摂餌材料１．０ｗｔ％〜５０．０ｗｔ％を加熱溶解しながら混合し、この混合物を特定の釣り餌形状に成形するとともに、この成形物を１０ｗｔ％〜飽和濃度の塩水に浸漬することにより、成形物の表面、又は表面と内部全体をゲル化させ形成することを特徴とする釣り餌の製造方法。
【請求項４】
ポリビニルアルコール０．５ｗｔ％〜２０．０ｗｔ％、水２０．０ｗｔ％〜９８．４ｗｔ％、魚の好む摂餌材料１．０ｗｔ％〜５０．０ｗｔ％、増粘剤０．１ｗｔ％〜１０．０ｗｔ％を加熱溶解しながら混合し、この混合物を特定の釣り餌形状に成形するとともに、この成形物を１０ｗｔ％〜飽和濃度の塩水に浸漬することにより、成形物の表面、又は表面と内部全体をゲル化させ形成することを特徴とする釣り餌の製造方法。
【発明の詳細な説明】
【技術分野】
【０００１】
本発明は、釣り餌の製造方法に関するものであり、釣り餌の製造を容易なものとするとともに、得られた釣り餌を常温で長期保存可能にしようとするものである。
【背景技術】
【０００２】
従来より、釣り餌にはミミズやゴカイ等、自然界に存在する天然の釣り餌と、人間が人工的に形成する疑似餌とが存在する。そして、以前より様々な種類の疑似餌の開発が進んでおり、最近では、天然の釣り餌に似た臭いや食感を有する疑似餌等が開発されている。この疑似餌の中で、天然又は合成高分子等のゲル化物の中に摂餌材料を混入したり、ゲル化物の表面に魚の好む臭い物質を塗布したりすることによって得られるものが存在する。
【０００３】
しかしながら、合成高分子をゲル化物として用いる疑似餌に於いては、従来より塩化ビニル等の生分解性を有しない材料が一般的に使用されていた。そのため、このような疑似餌を釣り場や海水等に放置した場合には、完全に分解されることなく半永久的に残存するため、環境に悪影響を及ぼす可能性が高いものであった。また、この疑似餌を魚が摂餌した場合には、魚の体内で完全に分解されることがないため、魚の生存のみならず、生態系にも悪影響を及ぼす可能性が高いものであった。
【０００４】
そこで、近年、特許文献１及び２に記載の釣り餌の如く、合成高分子をゲル化物として用いた疑似餌として、ポリビニルアルコールを使用したものが開発されている。ポリビニルアルコールは水溶性高分子であるため、自然界に放置した場合であっても環境中の水分により完全に分解される。そのため、これを疑似餌の材料として使用すれば、釣り場や海水中、又は魚の体内等に半永久的に残存することがないため、環境に与える影響を少なくすることができる。
【０００５】
特許文献１及び２に記載の釣り餌は、天然の釣り餌と同様の食感を付与するとともに、天然の釣り餌が有するその他の性質をより一層引き立てながら、高い集魚効果を得ることを目的としたものである。そして、特許文献１に記載の釣り餌は、ポリビニルアルコール、沸騰水、魚油、ハイネトレス、海藻エキス、誘引物質としてオキアミエキスを原料としている。また、特許文献２に記載の釣り餌は、ポリビニルアルコール、酢酸ビニル変性コポリマー共重合体、ゼラチン、沸騰水、海藻エキス又は粉末、及び誘引物質としてオキアミエキス、魚介類抽出油、その他の誘引物質を原料としている。そして、これらの原料をそれぞれ加熱溶解・混合した後、この混合物を所定の釣り餌形状に成形し、得られた成形物を常温以下で冷却することによりゲル化させるという方法により製造したものである。
【特許文献１】特許第２６３５３９０号公報
【特許文献２】特許第２８２８６６７号公報
【発明の開示】
【発明が解決しようとする課題】
【０００６】
しかしながら、特許文献１又は２に記載の発明の如く、ゲル化の際に成形物を常温以下で冷却する製造方法では、成形物を均一にゲル化させるために、成形物の表面全体を一定温度に設定した冷却雰囲気下に露出する必要がある。製造効率を考慮して冷却スペースを省略するために成形物を重ねて配置すると、成形物の表面全体を冷却雰囲気下に露出させることができず、成形物を均一にゲル化させることが困難となっていた。
そのため、成形物を冷却する工程では、複数の成形物を個々に分離して配置するための広い冷却スペースが必要であった。
【０００７】
また、薄いフィルムや繊維等と異なり、釣り餌はある程度の厚みを有していることから、中心部分まで完全にゲル化するためにはかなりの冷却時間を要するため、時間及び費用の面において負担となっていた。このような理由から、特許文献１又は２に記載の釣り餌を製造するためには、製造時に於いて多大なコスト・時間及び手間を必要としていた。
【０００８】
また、魚介類等のタンパク質成分を含む誘引物質等をポリビニルアルコールに混入した場合には、製造後に常温で放置しておくと、タンパク質成分の腐敗又は変質が生じる。そのため、製品を常温で長期保存することはできず、保存時には冷蔵又は冷凍が必要であった。従って、製造後も品質を均一なものに保つため、釣り餌を常時冷蔵又は冷凍下におかなければならず、製品管理に労力、費用を要するとともに、釣り人にとっても、釣り餌を購入した後に、冷蔵庫又は冷凍庫にて保管しなければならないことから、手間がかかるものとなっていた。
【０００９】
本発明は、上述のごとき課題を解決しようとするものであって、成形物をゲル化させる工程に於いて、成形物を冷却することなく常温にて短期間でゲル化可能とすることにより、広い冷却スペースを必要とせず効率のよい製造を可能にしようとする。また、製造後の保存時においても、冷蔵又は冷凍を必要とすることなく、常温での長期保存が可能な釣り餌を得ようとするものである。
【課題を解決するための手段】
【００１０】
本発明は、上述の如き課題を解決するため、第１の発明は釣り餌の製造方法であり、ポリビニルアルコール０．５ｗｔ％〜２０．０ｗｔ％、水３０．０ｗｔ％〜９８．５ｗｔ％、魚の好む摂餌材料１．０ｗｔ％〜５０．０ｗｔ％を加熱溶解しながら混合し、この混合物を特定の釣り餌形状に成形するとともに、この成形物の表面に塩を付着させることにより、成形物の表面、又は表面と内部全体をゲル化させ形成するものである。
【００１１】
また、第２の発明は釣り餌の製造方法であり、ポリビニルアルコール０．５ｗｔ％〜２０．０ｗｔ％、水２０．０ｗｔ％〜９８．４ｗｔ％、魚の好む摂餌材料１．０ｗｔ％〜５０．０ｗｔ％、増粘剤０．１ｗｔ％〜１０．０ｗｔ％を加熱溶解しながら混合し、この混合物を特定の釣り餌形状に成形するとともに、この成形物の表面に塩を付着させることにより、成形物の表面、又は表面と内部全体をゲル化させ形成するものである。
【００１２】
また、第３の発明は釣り餌の製造方法であり、ポリビニルアルコール０．５ｗｔ％〜２０．０ｗｔ％、水３０．０ｗｔ％〜９８．５ｗｔ％、魚の好む摂餌材料１．０ｗｔ％〜５０．０ｗｔ％を加熱溶解しながら混合し、この混合物を特定の釣り餌形状に成形するとともに、この成形物を１０ｗｔ％〜飽和濃度の塩水に浸漬することにより、成形物の表面、又は表面と内部全体をゲル化させ形成するものである。
【００１３】
また、第４の発明は釣り餌の製造方法であり、ポリビニルアルコール０．５ｗｔ％〜２０．０ｗｔ％、水２０．０ｗｔ％〜９８．４ｗｔ％、魚の好む摂餌材料１．０ｗｔ％〜５０．０ｗｔ％、増粘剤０．１ｗｔ％〜１０．０ｗｔ％を加熱溶解しながら混合し、この混合物を特定の釣り餌形状に成形するとともに、この成形物を１０ｗｔ％〜飽和濃度の塩水に浸漬することにより、成形物の表面、又は表面と内部全体をゲル化させ形成するものである。
【発明の効果】
【００１４】
本発明は、ポリビニルアルコールと摂餌材料等の混合物から成る成形物をゲル化させる工程に於いて、この成形物の表面に塩を付着させることにより、成形物を常温以下に冷却することなくポリビニルアルコールのゲル化を促進し、成形物を常温にて短期間でゲル化可能としたものである。従って、広い冷却スペースを必要としない効率の良い製造、製造コストの低減及び製造時間の短縮を可能とし、釣り餌の製造を容易なものとしている。
【００１５】
また、製造時に付着させた塩を製造後の釣り餌の表面及び内部に残存させることにより、本発明の釣り餌に混入した摂餌材料中のタンパク質の腐敗の原因となる細菌類を死滅させ、又は増殖を抑えることを可能としている。そのため、製造後に冷蔵又は冷凍保存することなく、常温下で長期間保存しても、腐敗・変質しにくい釣り餌を得ることを可能としている。
【発明を実施するための最良の形態】
【００１６】
本発明を実施するための最良の形態を以下に示す。まず、第１の発明は、ポリビニルアルコール、水、魚の好む摂餌材料を加熱溶解しながら混合し、この混合物を魚、ミミズ等の虫、又はその他の特定の釣り餌形状に成形する。そして、成形物の表面全体に均一に塩を付着させた後、この成形物を一定期間静置することにより、成形物をゲル化させるものである。このように、成形物の表面に塩を付着させることにより、成形物のゲル化が促進されるため、特許文献１及び２の如くゲル化の際に常温以下で冷却することなく、常温下で成形物をゲル化させることが可能となる。また、ゲル化は、塩を付着した成形物の表面から内部へと徐々に進行するため、成形物の表面に塩を付着させた後、完全に内部までゲル化する前に、付着させた塩を取り除く等してゲル化のための時間を短縮することにより、表面付近のみゲル化させることも可能である。
【００１７】
また、第２の発明は、ポリビニルアルコール、水、魚の好む摂餌材料、増粘剤を加熱溶解しながら混合し、この混合物を上記の如く特定の釣り餌形状に成形する。このように、増粘剤を添加することによって、釣り餌をより魚の好む食感とすることが可能となる。また、これらの材料を混合して特定の釣り餌形状に成形するとともに、この成形物の表面に塩を付着させることにより、第１の発明と同様に、成形物の表面、又は表面と内部全体を、常温にて短期間でゲル化させることが可能となる。
【００１８】
また、第３の発明は、ポリビニルアルコール、水、魚の好む摂餌材料を加熱溶解しながら混合し、この混合物を特定の釣り餌形状に成形するとともに、この成形物を所定の濃度に調製した塩水に浸漬することにより、成形物をゲル化させて釣り餌を製造するものである。このように、塩水に浸漬することにより成形物のゲル化が促進されるため、常温にて短期間で成形物をゲル化させることが可能となる。また、塩水の濃度を変化させることにより、得られる釣り餌の硬さを自在に変えることが可能となる。例えば、塩水の濃度を低くすれば、より柔らかい釣り餌を、濃度を濃くすれば、より硬い釣り餌を得ることができる。
【００１９】
また、第４の発明は、ポリビニルアルコール、水、魚の好む摂餌材料、増粘剤を加熱溶解しながら混合し、この混合物を特定の釣り餌形状に成形するとともに、この成形物を塩水にて浸漬するものである。そのため、増粘剤の添加により釣り餌をより魚の好む食感とすることが可能となるとともに、成形物を常温にて短期間でゲル化させることが可能となる。また、塩水の濃度を調節することにより、所望の硬さの釣り餌を得ることができる。
【００２０】
また、第１及び第３の発明における釣り餌の配合比の範囲は、以下の通りとする。まず、ポリビニルアルコールは０．５ｗｔ％〜２０．０ｗｔ％とする。０．５ｗｔ％より少ないと、成形物をゲル化させることが困難となり、２０．０ｗｔ％よりも多いと、成形物をゲル化させた際に適度な弾力性を得ることができなくなるからである。また、更に好ましくは、１．０ｗｔ％〜１０．０ｗｔ％とする。
【００２１】
また、水は３０．０ｗｔ％〜９８．５ｗｔ％とする。３０ｗｔ％よりも少ないと、材料を混合する際に粘度が高くなるため、全ての材料を均一に混合することが困難となり、９８．５ｗｔ％よりも多いと、混合物の粘度が低くなりすぎてゲル化前の成形が困難となり、また、たとえ成形が可能な場合であっても、短期間でゲル化させることが困難となるからである。また、更に好ましくは６０．０ｗｔ％〜８９．０ｗｔ％とする。
【００２２】
また、魚の好む摂餌材料は１．０ｗｔ％〜５０．０ｗｔ％とする。１．０ｗｔ％よりも少ないと、水中に放出される臭い成分等が不足するため集魚効果が低下し、５０．０ｗｔ％よりも多いと、摂餌材料がポリビニルアルコールのゲル化作用を阻害するため、成形物をゲル化させることが困難となるからである。また、更に好ましくは１０．０ｗｔ％〜３０．０ｗｔ％とする。
【００２３】
また、第２及び第４の発明における釣り餌の配合比の範囲は、以下の通りとする。まず、ポリビニルアルコールは０．５ｗｔ％〜２０．０ｗｔ％とする。０．５ｗｔ％より少ないと、成形物をゲル化させることが困難となり、２０．０ｗｔ％よりも多いと、成形物をゲル化させた際に適度な弾力性を得ることができなくなるからである。また、更に好ましくは、１．０ｗｔ％〜１０．０ｗｔ％とする。
【００２４】
また、水は２０．０ｗｔ％〜９８．４ｗｔ％とする。２０ｗｔ％よりも少ないと、材料を混合する際に粘度が高くなるため、全ての材料を均一に混合することが困難となり、９８．４ｗｔ％よりも多いと、混合物の粘度が低くなりすぎてゲル化前の成形が困難となり、また、たとえ成形が可能な場合であっても、短期間でゲル化させることが困難となるからである。また、更に好ましくは５５．０ｗｔ％〜８８．９ｗｔ％とする。
【００２５】
また、魚の好む摂餌材料は１．０ｗｔ％〜５０．０ｗｔ％とする。１．０ｗｔ％よりも少ないと、水中に放出される臭い成分などが不足するため集魚効果が低下し、５０．０ｗｔ％よりも多いと、摂餌材料がポリビニルアルコールのゲル化作用を阻害するため、成形物をゲル化させることが困難となるからである。また、更に好ましくは１０．０ｗｔ％〜３０．０ｗｔ％とする。
【００２６】
また、増粘剤は０．１ｗｔ％〜１０．０ｗｔ％とする。０．１ｗｔ％より少ないと、材料の混合後の成形が困難となり、また、１０．０ｗｔ％よりも多くしても、１０．０ｗｔ％を添加した時以上の効果をほとんど得ることができないため、材料の無駄となるからである。また、更に好ましくは０．１ｗｔ％〜５．０ｗｔ％とする。
【００２７】
また、第３及び第４の発明では、成形物を浸漬するための塩水の濃度を、１０ｗｔ％〜飽和濃度とする。１０ｗｔ％より少ないと、塩によるポリビニルアルコールの常温でのゲル化速度が著しく低下するためである。また、更に好ましくは２０．０ｗｔ％〜飽和濃度とする。また、成形物を塩水に浸漬する際に塩水の濃度を高くすると、より硬い釣り餌を得ることができ、また、塩水の濃度を低くすると、より柔らかい釣り餌を得ることができる。従って、浸漬する塩水の濃度を変えることにより、所望の硬さの釣り餌を得ることが可能となる。
【００２８】
また、本発明で用いるポリビニルアルコールの重合度及びケン化度は、特に限定するものではないが、重合度１７００以上、ケン化度９９．４ｍｏｌ％以上のものを使用することにより、更にエサ持ちの良い釣り餌を得ることが可能となる。
【００２９】
また、本発明で用いる塩の種類は、塩化ナトリウム、塩化マグネシウム、塩化カリウム、塩化カルシウム、リン酸ナトリウム、リン酸カリウム、酢酸ナトリウム、酢酸カリウム、又はこれらの成分を含む岩塩、海塩、ミネラル塩、深層海水塩等の天然塩等、人体に無害であるものが好ましい。また、本発明で用いる増粘剤は、カラギーナン、キサンタンガム、タマリンドガム、ローカストビーンガム、サイリウムシードガム、ジェランガム、グアガム等、老化しにくいものを使用するのが好ましい。また、本発明で用いる摂餌材料は特に限定するものではないが、例えば、オキアミ、エビ、カニ、アサリ、イワシ、カツオ、イカ等の魚介類や、さなぎのペースト、エキス、油あるいは乾燥粉末品、核酸、アミノ酸等を使用することができる。
【００３０】
また、本発明に於ける釣り餌とは、釣り針に付けて魚を釣り上げるための餌は勿論であるが、集魚のための餌として使用する場合も含まれる概念で用いている。例えば、四つ手網に本発明の釣り餌を載置して、魚を誘引する場合に用いたり、魚、甲殻類、ヒトデ等を捕獲するための捕獲用網袋、捕獲用箱等に配置して、目的の水中生物を誘引する場合にも用いることができるものである。
【００３１】
また、本発明で対象とする魚の種類は特に限定するものではなく、あらゆる種類の魚を対象とするとともに、魚のほかにも、エビ、カニ、ヒトデ等の海や川などに生息する生物も対象とするものである。
【実施例１】
【００３２】
本発明の実施例１の釣り餌の製造方法を詳細に説明する。以下に実施例１で使用した材料の配合割合を示す。
ポリビニルアルコール                １０．０ｗｔ％
水                                  ６０．０ｗｔ％
ウニ殻粉砕品                        ２０．０ｗｔ％
エビ粉                              １０．０ｗｔ％
合    計                    １００．０ｗｔ％
【００３３】
ポリビニルアルコール及び水を攪拌させながら、９５℃で加熱・溶解し、ポリビニルアルコールが十分溶解した後、ウニ殻粉砕品、エビ粉を添加して３０分間加熱・混合した。その後、この混合物を平板状に成形した成形物を、塩を敷き詰めた容器内に配置し、この成形物の上から更に塩を均一に付着させ、常温下で２時間静置することにより、内部までゲル化した釣り餌を得ることができた。尚、本実施例及び以下の実施例２〜実施例４に於いて、ポリビニルアルコールは重合度２６００及びケン化度９９．４ｍｏｌ％のものを、また、塩は塩化ナトリウムを使用した。
【００３４】
上記釣り餌を用いて、平成１５年９月７日、南伊豆手石港にて実釣比較実験を行った。また比較例として、本実施例の釣り餌と同じ材料を用いて混合・成形し、冷凍することによりゲル化させた釣り餌を用いた。そして、本実施例及び比較例の釣り餌を寄せ餌として釣り糸に吊して海中に投下し、両釣り餌への魚の寄り具合を確認した。その結果、両釣り餌とも、１０〜１５ｃｍの大きさの魚が多数群がるのを確認することができ、両釣り餌の顕著な差異は見られなかった。
【実施例２】
【００３５】
また、本発明の実施例２の釣り餌の製造方法を詳細に説明する。以下に実施例２で使用した材料の配合割合を示す。
ポリビニルアルコール                  ５．０ｗｔ％
水                                  ６０．０ｗｔ％
オキアミエキス                      ３０．０ｗｔ％
キサンタンガム                        ５．０ｗｔ％
合    計                    １００．０ｗｔ％
【００３６】
ポリビニルアルコール及び水を攪拌させながら、９５℃で加熱・溶解し、ポリビニルアルコールが十分溶解した後、キサンタンガム、オキアミエキスを順次添加して３０分間加熱・混合した。その後、この混合物を棒状に成形して塩を敷き詰めた容器内に配置し、この成形物の上から更に塩を均一に付着させ、常温下で２時間静置することにより、内部までゲル化した釣り餌を得ることができた。
【００３７】
上記釣り餌を用いて、平成１５年５月２２日、三浦半島観音崎沖で実釣比較実験を行った。また比較例として、イカの切り身、及び本実施例の釣り餌と同じ材料を用いて混合・成形し、冷凍することによりゲル化させた釣り餌を用いた。そして、これらの釣り餌をそれぞれ３本の釣り針を設けた仕掛けに装着して海中に投下し、それぞれの釣果を確認した。その結果、イカの切り身ではアジが７尾、冷凍によりゲル化した釣り餌ではアジが６尾、本実施例の釣り餌ではアジが７尾の釣果であり、比較例の釣り餌と比べて遜色なく釣ることができた。
【実施例３】
【００３８】
また、本発明の実施例３の釣り餌の製造方法を詳細に説明する。以下に実施例３で使用した材料の配合割合を示す。
ポリビニルアルコール                １０．０ｗｔ％
水                                  ６０．０ｗｔ％
魚粉                                １５．０ｗｔ％
さなぎ粉                            １５．０ｗｔ％
合    計                    １００．０ｗｔ％
【００３９】
ポリビニルアルコール及び水を攪拌させながら、９５℃で加熱・溶解し、ポリビニルアルコールが十分溶解した後、魚粉及びさなぎ粉を添加して３０分間加熱・混合した。その後、この混合物を棒状に成形して２０ｗｔ％の濃度の塩水に２時間浸漬することにより、内部までゲル化した釣り餌を得ることができた。
【００４０】
上記釣り餌を用いて、平成１５年８月２３日、桶川市の用水路にて実釣比較実験を行った。また比較例として、本実施例の釣り餌と同じ材料を用いて混合・成形し、冷凍することによりゲル化した釣り餌を用いた。そして、これらの釣り餌を、寄せ餌としてそれぞれ紐に固定し、水中に投下して釣果を確認した。その結果、両釣り餌とも４〜５ｃｍの大きさの魚が多数群がるとともに、アメリカザリガニが寄ってきたのを確認することができ、
両釣り餌に顕著な差異は見られなかった。
【実施例４】
【００４１】
また、本発明の実施例４の釣り餌の製造方法を詳細に説明する。以下に実施例４で使用する材料の配合割合を示す。
ポリビニルアルコール                  ５．０ｗｔ％
水                                  ６０．０ｗｔ％
アサリミンチ                        ３０．０ｗｔ％
カラギーナン                          ５．０ｗｔ％
合    計                    １００．０ｗｔ％
【００４２】
ポリビニルアルコール及び水を攪拌させながら、９５℃で加熱・溶解し、ポリビニルアルコールが十分溶解した後、カラギーナンを添加して３０分間加熱・混合した。その後、アサリミンチを添加し、十分に攪拌して混合した。そして、この混合物を棒状に成形して２０ｗｔ％の濃度の塩水に２時間浸漬することにより、内部までゲル化した釣り餌を得ることができた。
【００４３】
上記釣り餌を用いて、平成１５年９月１５日、江戸川の放水路にて実釣比較実験を行った。また比較例として、本実施例の釣り餌と同じ材料を用いて混合・成形し、冷凍することによりゲル化した釣り餌を用いた。そして、これらの釣り餌を、それぞれ１本の釣り針を設けた仕掛けに装着して海中に投下し、それぞれの釣果を確認した。その結果、両釣り餌とも小型のハゼが５匹の釣果であり、両者に顕著な差は見られなかった。
【００４４】
上記実施例１〜実施例４の実釣比較実験の結果より、本発明に係る釣り餌は、従来より一般的に使用されている、冷凍によりゲル化させる方法で製造された釣り餌と、何等遜色のない釣果を得ることができることが明らかとなった。